(57)【特許請求の範囲】
【請求項１】
光ディスクを収納しているとともに上記光ディスクを露出する窓部を有したカートリッジ本体と、上記カートリッジ本体に所定の開閉方向に沿って移動自在に設けられ上記窓部を開閉するシャッタと、を備えたディスクカートリッジを受け入れて上記光ディスクに対する情報処理を行う光ディスク駆動装置において、
筐体と、
上記ディスクカートリッジが載置される装填部を有しているとともに、上記ディスクカートリッジを脱着可能な引出し位置と、上記ディスクカートリッジが上記筐体内の所定の装填位置に位置する引き込み位置と、の間を、上記シャッタの開閉方向とほぼ直交する方向に沿って往復移動自在に上記筐体に設けられたトレイと、
上記トレイの上記引出し位置から引き込み位置への移動に応じて、上記シャッタに上記開閉方向のみに力を作用させてシャッタを開放するシャッタ開閉機構と、を備え、
上記シャッタ開閉機構は、
上記シャッタの開閉方向と平行な方向に沿って、上記シャッタを閉塞する閉塞位置と、シャッタを開放する開放位置との間を移動自在に上記トレイに設けられているとともに、上記トレイに装填されたディスクカートリッジのシャッタと係合する係合部を有したシャッタ開閉部材と、
上記トレイに形成され上記シャッタの開閉方向と平行な方向に延びているとともに上記シャッタ開閉部材の移動をガイドするガイド部と、
上記筐体内に設けられているとともに上記シャッタ開閉部材と係合するガイド面を有し、上記トレイの上記引出し位置から引き込み位置への移動に応じて、上記シャッタ開閉部材をシャッタ開放方向へ移動させるガイドレールと、
上記シャッタ開閉部材を上記閉塞位置に向けて付勢しているとともに前記ガイド面に向けて付勢した付勢部材と、
を備えたことを特徴とする光ディスク駆動装置。
【請求項２】
上記シャッタ開閉部材は係合突起を有し、上記ガイドレールは、上記筐体内に固定的に設けられ、上記ガイド面は、上記トレイの移動方向に対して斜めに延び上記シャッタ開閉部材を上記閉塞位置と開放位置との間でガイドする第１ガイド面と、上記シャッタ開閉部材を開放位置に保持する第２ガイド面と、を有していることを特徴とする請求項１に記載の光ディスク駆動装置。
【発明の詳細な説明】
【０００１】
【発明の属する技術分野】
この発明は、情報記憶媒体としての光ディスクを収納したディスクカートリッジを受け入れて光ディスクに対する情報処理を行う光ディスク駆動装置に関する。
【０００２】
【従来の技術】
近年、情報記憶媒体として光ディスクが広く使用されている。このような光ディスクの中には、光ディスクの損傷、汚れの付着等を防止するため、ディスクカートリッジ内に収納された状態で使用されるものが提供されている。
【０００３】
このようなディスクカートリッジは、通常、光ディスクを収納した偏平なケースを有し、このケースの両面には、光ディスクを露出するための窓部がそれぞれ形成されている。また、ケースには、窓部を開閉するためのシャッタが摺動自在に取り付けられている。
【０００４】
一方、上記光ディスクに対して情報の読み出し、書き込み等の処理を行う光ディスク駆動装置は、前面に挿通口が設けられた矩形箱状の筐体と、ディスクカートリッジが載置されるトレイとを備え、このトレイは、筐体内部に対し、挿通口を通して引き込みおよび引出し可能に設けられている。筐体内部には、ディスクカートリッジのシャッタを開閉するシャッタ開閉機構、光ディスクを支持するターンテーブル、光ディスクに対して情報の読み出し、書込みを行う光ヘッド、ターンテーブルを駆動するモータ、ターンテーブル上に載置された光ディスクをクランプするクランプホルダ等が設けられている。
【０００５】
光ディスク駆動装置を作動させる場合、引出された状態のトレイにディスクカートリッジを載置した後、トレイ駆動機構によりカートリッジと共にトレイを筐体内へ引き込む。すると、シャッタ開閉機構によりカートリッジのシャッタが開放される。そして、光ディスクが所定位置に到達すると、ターンテーブルが上昇して光ディスクを支持するとともに、光ディスクはクランプホルダに押し付けられ所定位置に保持される。この状態で、ターンテーブルを回転駆動するとともに、光ヘッドにより情報の読み出しあるいは書込みを行う。
【０００６】
一般に、ディスクカートリッジのシャッタは、光ディスク駆動装置に対する挿入方向と直交する方向に沿って開閉自在に設けられている。そして、上記光ディスク駆動装置によれば、シャッタ開閉機構は回動自在に設けられたシャッタ開閉アームを有し、このシャッタ開閉アームは、挿入されているディスクカートリッジのシャッタに当接し、シャッタを挿入方向と反対方向に押圧するとともに、カートリッジに押されて回動しシャッタを開放する。
【０００７】
【発明が解決しようとする課題】
しかしながら、上記構成の光ディスク駆動装置において、ディスクカートリッジによりシャッタ開閉アームを押圧する際、シャッタは、このシャッタ開閉アームからシャッタを開放する方向の力を受けると同時に、シャッタ開閉アームの角度により、シャッタあるいはシャッタ保持部材をカートリッジのケースに押付ける方向の力、すなわち、カートリッジの挿入方向と反対方向の力を受ける。
【０００８】
そのため、シャッタあるいはシャッタ保持部材は、カートリッジ本体に押し付けられた状態で移動するため、これらの間に摩擦が生じる。従って、シャッタの開閉動作を繰り返すことにより、磨耗粉が発生する可能性が高くなる。そして、ディスクカートリッジ内部でこのような摩擦粉が発生すると、光ディスクの表面に付着しやすく、記憶再生動作のエラーを発生する頻度が高くなる。
【０００９】
従来では、上記のような問題を解決するため、市販のメディアクリーナによって光ディスク表面を定期的にクリーニングすることも行われているが、ディスクカートリッジの取扱いが面倒となってしまう。また、シャッタとして磨耗に強い特殊な材料を使用することも考えられるが、この場合、ディスクカートリッジの製造コストが上昇してしまうという問題がある。
【００１０】
この発明は以上の点に鑑みなされたもので、その目的は、摩擦粉等を生じることなくディスクカートリッジのシャッタを円滑に開閉することができ、信頼性の向上した光ディスク駆動装置を提供することにある。
【００１２】
【課題を解決するための手段】
上記目的を達成するため、この発明の態様に係る光ディスク駆動装置は、光ディスクを収納しているとともに上記光ディスクを露出する窓部を有したカートリッジ本体と、上記カートリッジ本体に所定の開閉方向に沿って移動自在に設けられ上記窓部を開閉するシャッタと、を備えたディスクカートリッジを受け入れて上記光ディスクに対する情報処理を行う光ディスク駆動装置において、  
筐体と、上記ディスクカートリッジが載置される装填部を有しているとともに、上記ディスクカートリッジを脱着可能な引出し位置と、上記ディスクカートリッジが上記筐体内の所定の装填位置に位置する引き込み位置と、の間を、上記シャッタの開閉方向とほぼ直交する方向に沿って往復移動自在に上記筐体に設けられたトレイと、上記トレイの上記引出し位置から引き込み位置への移動に応じて、上記シャッタに上記開閉方向のみに力を作用させてシャッタを開放するシャッタ開閉機構と、を備え、  
上記シャッタ開閉機構は、上記シャッタの開閉方向と平行な方向に沿って、上記シャッタを閉塞する閉塞位置と、シャッタを開放する開放位置との間を移動自在に上記トレイに設けられているとともに、上記トレイに装填されたディスクカートリッジのシャッタと係合する係合部を有したシャッタ開閉部材と、上記トレイに形成され上記シャッタの開閉方向と平行な方向に延びているとともに上記シャッタ開閉部材の移動をガイドするガイド部と、上記筐体内に設けられているとともに上記シャッタ開閉部材と係合するガイド面を有し、上記トレイの上記引出し位置から引き込み位置への移動に応じて、上記シャッタ開閉部材をシャッタ開放方向へ移動させるガイドレールと、上記シャッタ開閉部材を上記閉塞位置に向けて付勢しているとともに前記ガイド面に向けて付勢した付勢部材と、を備えている。
上記構成の光ディスク駆動装置によれば、シャッタ開閉機構は、ディスクトレイが引き出し位置から引き込み位置に移動されると、これに連動してディスクカートリッジのシャッタに、このシャッタの開閉方向に沿った方向のみの力を作用させて、シャッタを開放する。そのため、シャッタの開閉時、ディスクカートリッジのシャッタおよびカートリッジ本体にトレイの移動方向に沿った反力が作用せず、その結果、シャッタとケースとの摩擦を低減し、摩擦粉等の発生を防止することができる。これにより、摩擦粉等に起因する記録再生時の誤動作を防止し、信頼性の高い光ディスク駆動装置を得ることができる。
【００１３】
【発明の実施の形態】
以下図面を参照しながら、この発明の実施の形態に係る光ディスク駆動装置について詳細に説明する。まず初めに、光ディスク駆動装置に装填されるディスクカートリッジについて説明する。
【００１４】
図１および図２に示すように、ディスクカートリッジ１０は、ディスク状の記録媒体として、光ディスク１４を収納した偏平な矩形状のケース１２を備えている。カートリッジ本体として機能するケース１２は、ほぼ同一構造を有する一対のハーフケース１３ａ、１３ｂを接合することにより形成されている。
【００１５】
光ディスク１４の表面と対向しているケース１２の上壁および下壁、つまり、ハーフケース１３ａ、１３ｂの主壁１１ａ、１１ｂには、光ディスク１４へアクセスするための窓部１６がそれぞれ形成され、互いに対向している。各窓部１６は、それぞれケース１２のほぼ中央から、後述する光ディスク駆動装置に対するディスクカートリッジ１０の挿入方向Ａに向かって、ケース１２の前端面１２ａ近傍まで延びている。
【００１６】
ケース１２内に収納された光ディスク１４の中心部には、中心孔１９および中心孔の周囲に位置したクランプ領域１８が設けられている。そして、中心孔１９、クランプ領域１８、および光ディスク１４の両面の一部は、窓部１６を通して露出している。
【００１７】
ケース１２には、窓部１６を開閉する両面一体型のシャッタ２２が摺動自在に取り付けられている。シャッタ２２は、それぞれ窓部１６を開閉する一対の矩形状の遮蔽板２２ａと、これら遮蔽板の前端同志を連結しているとともにケース前端面１２ａと対向した連結板２２ｂと、を有し、断面Ｕ字形状に形成されている。そして、シャッタ２２は、ケース１２の前端面１２ａ側からケース１２の両表面側を挟むようにして取り付けられている。また、連結板２２ｂには、シャッタ２２を開閉するための係合突部２３が形成されている。
【００１８】
シャッタ２２は、図１に示すように、窓部１６を閉塞する閉塞位置と、図２に実線および２点鎖線でそれぞれ示すように、閉塞位置の両側に位置しそれぞれ窓部１６を開放する２つの開放位置と、の間をケース１２の前端面１２ａと平行な方向、つまり、ディスクカートリッジ１０の挿入方向Ａと直行する開閉方向Ｂに沿って摺動可能となっている。シャッタ２２は、ケース１２内で窓部１６の両側に配設された図示しない２つのシャッタばねにより常時閉塞位置に向かって付勢されている。
【００１９】
ハーフケース１３ａ、１３ｂの表面の内、シャッタ２２の遮蔽板２２ａが摺動する領域は、浅い矩形状の凹所１５として形成され、窓部１６もこの凹所内に形成されている。また、ハーフケース１３ａ、１３ｂは、凹所１５の後端中央部から窓部１６の近傍まで突出した抜け止め用の突部１７を有し、この突部１７は、遮蔽板２２ａの自由端部と係合して遮蔽板を凹所１５内に保持している。
【００２０】
各ハーフケース１３ａ、１３ｂの主壁１１ａ、１１ｂの後端部中央および後端面中央部には、ラベル貼付部６が連続して形成されている。ケース１２の両側壁１２ｂ、１２ｃの後端部には、光ディスク駆動装置のトレイに対してディスクカートリッジ１０を位置決めするためのスロット２６がそれぞれ形成されているとともに、両側壁１２ｂ、１２ｃの前端部には、光ディスクドライブ側のローディング機構を引っ掛けるための凹所２７がそれぞれ形成されている。その他、ハーフケース１３ａ、１３ｂには、種々の検出用の透孔が形成されている。
【００２１】
次に、上述したディスクカートリッジ１０を受け入れて光ディスク１４に対する情報の読み出しあるいは書き込みを行う光ディスク駆動装置について説明する。図３に示すように、光ディスク駆動装置はほぼ矩形状の筐体３０を備え、筐体の前面開口にはベゼル３２が嵌合され前壁を構成している。このベゼル３２には、筐体３０内に対してディスクカートリッジ１０を出し入れするたの細長い矩形状の挿通口３４が形成されている。
【００２２】
また、光ディスク駆動装置は、ディスクカートリッジ１０を筐体３０内に対して装填および取出しするためのディスクトレイ３６を備えている。ディスクトレイ３６は、ほぼ矩形板状のトレイ本体４２と、トレイ本体の前端に設けられた矩形板状の前面パネル４４と、を一体に有している。そして、ディスクトレイ３６は、ディスクカートリッジ１０を収納するための凹所からなる装填部３８を形成している。この装填部３８は、ディスクカートリッジ１０とほぼ等しい幅を有すた矩形状に形成されている。また、前面パネル４４にはディスクトレイ３６を引き出しおよび引き込みするための開閉スイッチ４１が設けられているとともに、トレイ本体４２の底壁には、装填部３８に開口したアクセス開口３９が形成されている。
【００２３】
上記構成のディスクトレイ３６は、筐体３０内に設けられた図示しないガイド機構およびトレイ駆動機構により、挿通口３４を通して、図３に示す筐体から引き出された引出し位置と、筐体内に引き込まれた後述の引き込み位置との間を矢印Ａ方向に沿って移動可能となっている。そして、ディスクトレイ３６を筐体３０から所定の引出し位置まで引出すことにより、装填部３８が露出し、この装填部に対してディスクカートリッジ１０の脱着が可能となる。また、ディスクトレイ３６を筐体３０内の所定の引き込み位置まで移動させることにより、ディスクカートリッジ１０が筐体３０内に装填され、光ディスク１４に対する情報の読み出し、書込みが可能となる。この際、ディスクカートリッジ１０は、その挿入方向Ａがディスクトレイ３６の移動方向Ａと一致した状態でディスクトレイの装填部３８に装填される。
【００２４】
図４ないし図６に示すように、ディスクトレイ３６の挿入方向先端部には、装填されたディスクカートリッジ１０の先端部を保持するブッリジ状のカートリッジ保持部材４８が設けられ、トレイ本体４２の幅方向に沿って延びている。また、ディスクトレイ３６の挿入方向先端部には、シャッタ開閉機構５０の一部を構成するシャタ開閉部材５２が設けられている。このシャッタ開閉部材５２は細長い矩形状に形成され、その長手方向がディスクトレイ３６の移動方向Ａと直行する方向、すなわち、シャッタ２２の開閉方向Ｂと一致するように設けられている。ディスクトレイ３６において、トレイ本体４２の底壁先端部には、開閉方向Ｂと平行に延びたガイドレール５４およびガイド溝５６が一体に形成されている。そして、シャッタ開閉部材５２は、ガイドレール５４およびガイド溝５６により開閉方向Ｂに沿ってガイドされ、図示の閉塞位置と後述する開放位置との間を移動自在に設けている。なお、ガイドレール５４およびガイド溝５６は、この発明における第１ガイド部を構成している。
【００２５】
シャッタ開閉部材５２は、ディスクトレイ３６に装填されたディスクカートリッジ１０に向かって突出した押圧爪５８と、押圧爪と反対方向に突出したフック６０と、更に、ディスクトレイの底面と直交する方向に突出した係合突起としてのガイドピン６２と、を一体に備えている。
【００２６】
ディスクカートリッジ１０をディスクトレイ４２に装填すると、押圧爪５８は、シャッタ２２の先端部に設けられた係合突部２３の端面に係合する。また、シャッタ開閉部材５２のフック６０とディスクトレイ４２に設けられたばね受け６３との間には、付勢部材として機能する引っ張りばね６４が架設されている。そして、シャッタ開閉部材５２は引っ張りばね６４により図示の閉塞位置方向に付勢され、ディスクトレイ３６に設けられたストッパ６５に当接することにより、閉塞位置に保持されている。なお、シャッタ開閉部材５２の閉塞位置は、ディスクトレイ４２の幅方向ほぼ中央部に設定されている。
【００２７】
一方、図３、図４、図６および図７に示すように、ディスクカートリッジ１０のシャッタ２２を開閉するためのシャッタ開閉機構５０は、ディスクトレイ３６の移動に応じてシャッタ開閉部材５２を移動させるガイドレール７０を備え、このガイドレール７０は筐体３０の天壁３０ａの内面に固定されている。また、駆動部材として機能するガイドレール７０は、天壁に対して垂直に延びているとともにシャッタ開閉部材５２のガイドピン６２をガイドするガイド面７２を有している。第２ガイド部として機能するガイド面７２は、筐体３０の幅方向ほぼ中央部から図４において筐体の右側壁に向かって斜めに延びた、すなわち、ディスクトレイ３６の移動方向Ａと交差する方向に延びた第１ガイド面７２ａと、第１ガイド面に続いて右側壁とほぼ平行に延びた第２ガイド面７２ｂと、を有している。
【００２８】
図７に示すように、筐体３０内には、ディスクカートリッジ１０に収納されている光ディスク１４の中心孔１９と係合するクランパ７４が設けられている。また、筐体１０内の底部には光ディスク１４の駆動系７６が設けられている。この駆動系７６は、ディスクカートリッジ１０内の光ディスク１４を支持および回転駆動するターンテーブル７８、光ディスクに対して情報の読み出しおよび書込みを行う図示しない光ヘッド等を備えている。
【００２９】
上記構成の光ディスク駆動装置において、ディスクカートリッジ１０を装填する場合、図３および図４に示すように、開閉スイッチ４１を押してディスクトレイ３６を筐体３０から所定の引出し位置まで引出し、装填部３８を露出させる。この状態で、装填部３８に対してディスクカートリッジ１０を装填する。
【００３０】
ディスクトレイ３６を引き出した状態において、シャッタ開閉機構５０のシャッタ開閉部材５２は、引っ張りばね６４により付勢させれ閉塞位置に保持されている。そして、ディスクカートリッジ１０をその挿入方向Ａがディスクトレイ３６の移動方向Ａと一致するように、かつ、カートリッジの前端面が筐体３０側となるようにディスクトレイの装填部３８に装填する。これにより、ディスクカートリッジ１０はディスクトレイ３６内に保持され、シャッタ２２の係合突部２３は、シャッタ開閉部材５２の押圧爪５８と隣接対向して位置する。
【００３１】
この状態で開閉スイッチ４１を押すと図示しないトレイ駆動機構が作動し、ディスクトレイ３６は、移動方向Ａに沿って図示の引き出し位置から図７および図８に示す引き込み位置に移動される。ディスクトレイ３６が引き込み位置に向かって移動すると、シャッタ開閉部材５２のガイドピン６２はガイドレール７０の第１ガイド面７２ａに当接し、以後、ディスクトレイの移動に応じて第１ガイド面７２ａおよび第２ガイド面７２ｂに沿って移動する。
【００３２】
それにより、シャッタ開閉部材５２は、挿入方向Ａと反対方向の力、および開閉方向Ｂの力を受ける。従って、シャッタ開閉部材５２は、引っ張りばね６４の付勢力に抗し、開閉方向Ｂに沿って開放位置まで移動される。シャッタ開閉部材５２が開放位置まで移動した時点で、ガイドピン６２はガイドレール７０の第２ガイド面７２ｂに当接し、以後、ディスクトレイ３６が引き込み位置に到達するまで、第２ガイド面７２ｂに沿って移動しシャッタ開閉部材５２を開放位置に保持する。
【００３３】
また、図８に示すように、シャッタ開閉部材５２が閉塞位置から開放位置へ移動すると、ディスクカートリッジ１０のシャッタ２２は押圧爪５８に押圧され、シャッタ開閉部材と連動して閉塞位置から開放位置に移動した後、開放位置に保持される。これにより、ディスクカートリッジ１０の窓部１６が開放し、光ディスク１４へのアクセスが可能となる。このようにして、ディスクトレイ３６が引き出し位置から引き込み位置へ移動するまでの間、ディスクトレイの移動に連動して、ディスクカートリッジ１０のシャッタ２２が開放される。
【００３４】
図７に示すように、ディスクトレイ３６が引き込み位置まで移動すると、クランパ７４がディスクカートリッジ１０の窓部１６を通して光ディスク１４の中心孔１９に対向する。同時に、駆動系７６の昇降機構が駆動され、ターンテーブル７８がディスクトレイ３６のアクセス開口３９およびディスクカートリッジ１０の窓部１６を通って上昇し、光ディスク１４を支持するとともにクランパ７４に押し付ける。これにより、光ディスク１４はディスクカートリッジ１０のケース内面から離間した状態に支持され、回転駆動が可能となる。そして、この状態で、ターンテーブル７８を駆動して光ディスク１４を回転させるとともに、図示しない光ヘッドにより光ディスクに対する情報の読み出しあるいは書込みを行う。
【００３５】
一方、光ディスク駆動装置からディスクカートリッジ１０を取り出す場合には、ディスクトレイ３６の開閉スイッチ４１を押す。すると、ターンテーブル７８およびクランパ７４が初期位置に復帰した後、図示しないトレイ駆動機構が作動し、ディスクトレイ３６が引き込み位置から引き出し位置に移動される。
【００３６】
ディスクトレイ３６の移動に伴い、シャッタ開閉部材５２のガイドピン６２はガイドレール７０の第２ガイド面７２ｂおよび第１ガイド面７２ａに沿って移動する。そして、シャッタ開閉部材５２は、引っ張りばね６４の付勢力により、開放位置から閉塞位置に移動され、閉塞位置に保持される。同時に、ディスクカートリッジ１０のシャッタ２２は、シャッタ開閉部材５２に追従して開放位置から閉塞位置へ移動し、窓部１６を閉塞する。そして、ディスクトレイ３６が引き出し位置まで引き出されることにより、このディスクトレイからディスクカートリッジ１０を取り出すことができる。
【００３７】
以上のように構成された光ディスク駆動装置によれば、シャッタ開閉機構５０は、シャッタ２２の開閉方向Ｂと平行な方向に沿って移動自在に設けられたシャッタ開閉部材５２を備え、ディスクトレイ３６の移動を利用して、このシャッタ開閉部材５２を開閉方向へ移動させることにより、ディスクカートリッジ１０のシャッタを開放する。そして、シャッタ２２の開放時、シャッタ開閉部材５２はディスクトレイ３６の移動方向に反力を受けるが、このシャッタ開閉部材はディスクトレイ３６上に設けられているため、シャッタ２２には上記反力が伝達されない。
【００３８】
従って、シャッタ２２の開閉時、ディスクカートリッジ１０のシャッタ２２およびケース１２にはシャッタの開閉方向Ｂのみに力が作用する。その結果、シャッタとケースとの摩擦を低減し、摩擦粉等の発生を防止することができる。これにより、摩擦粉等に起因する記録再生時の誤動作を防止し、信頼性の高い光ディスク駆動装置を得ることができる。また、シャッタに特別な材料を使用する必要がなく、ディスクカートリッジの製造コスト低減を図ることが可能となる。
【００３９】
更に、シャッタ開閉機構５０は、ディスクトレイ３６の移動力を利用してシャッタを開放することから、特別な駆動機構を設ける必要がなく、構造の簡素化および製造コストの低減を図ることができる。
【００４０】
なお、この発明は上述した実施の形態に限定されることなく、この発明の範囲内で種々変形可能である。例えば、上述した実施の形態においては、シャッタ開閉部材を移動させる駆動部材としてガイドレールを用いたが、回動自在に設けられた開閉アーム等を用いてもよい。ディスクトレイは、引き出し位置から押し込み位置まで手動で移動する構成としもよく、また、ディスクトレイ、シャッタ開閉部材の形状、構造等は必要に応じて種々変形可能である。
【００４１】
【発明の効果】
以上詳述したように、この発明によれば、ディスクカートリッジのシャッタ開閉方向とほぼ平行な方向に移動可能に設けられたシャッタ開閉部材により、シャッタに対して開閉方向のみに力を作用させる構成としたことから、摩擦粉等を発生することなくディスクカートリッジのシャッタを円滑に開閉することができ、信頼性の向上した光ディスク駆動装置を提供することができる。
【図面の簡単な説明】
【図１】光ディスク駆動装置に装填されるディスクカートリッジを示す斜視図。
【図２】シャッタを開放した状態における上記ディスクカートリッジを示す斜視図。
【図３】ディスクトレイが引き出された状態における、この発明の実施の形態に係る光ディスク駆動装置を示す斜視図。
【図４】上記ディスクトレイが引き出された状態の光ディスク駆動装置を示す平面図。
【図５】上記ディスクトレイの前端部を拡大して示す平面図。
【図６】上記ディスクトレイの前端部およびシャッタ開閉機構を示す斜視図。
【図７】上記ディスクトレイが筐体内へ引き込まれた状態における上記光ディスク駆動装置の断面図。
【図８】上記ディスクトレイが筐体内へ引き込まれた状態における上記光ディスク駆動装置の平面図。
【符号の説明】
１０…ディスクカートリッジ
１２…ケース
１４…光ディスク
１６…窓部
２２…シャッタ
３０…筐体
３４…挿通口
３６…ディスクトレイ
４２…トレイ本体
５０…シャッタ開閉機構
５２…シャッタ開閉部材
５４…ガイドレール
５８…押圧爪
６２…ガイドピン
６４…引っ張りばね
７０…ガイドレール
７２ａ…第１ガイド面
７２ｂ…第２ガイド面
【図１】
0003751790.tif 000002
【図２】
0003751790.tif 000003
【図３】
0003751790.tif 000004
【図４】
0003751790.tif 000005
【図５】
0003751790.tif 000006
【図６】
0003751790.tif 000007
【図７】
0003751790.tif 000008
【図８】
0003751790.tif 000009